(57)【要約】【課題】フラットケーブルの引っ張り強度を高めたケーブル保持部材、電気的接続装置、コネクタ装置を提供する。【解決手段】コネクタ装置１は、フラットケーブル１０が巻き付けられたケーブル保持部材２０をハウジング３０に支持させた電気的接続装置２と、レセプタクルコネクタ３Ａとを備える。ケーブル保持部材２０は、フラットケーブル１０が曲げ返されるようにして巻き付けられる巻付け面２１ａを備えた巻付け部２１と、巻付け部２１に巻き付けられたフラットケーブル１０の幅方向においてフラットケーブル１０の両側に位置するように巻付け部２１に設けられた壁部２２とを備える。壁部２２の内側面には、フラットケーブル１０の側縁から幅方向における外側に突出する第１突起１４が挿入される溝２３ａが形成されている。【選択図】図１
2015056233.tif 000002
【特許請求の範囲】
【請求項１】
複数の導電部材が幅方向に並べて配列された帯状のフラットケーブルが曲げ返されるようにして巻き付けられる巻付け面を備えた巻付け部と、
前記巻付け部に巻き付けられた前記フラットケーブルの幅方向において前記フラットケーブルの両側に位置するように前記巻付け部に設けられ、前記フラットケーブルの側縁から前記幅方向における外側に突出する第１突起が挿入される溝が設けられた壁部
とを備えたことを特徴とするケーブル保持部材。
【請求項２】
前記巻付け部には、前記フラットケーブルに設けられた孔に嵌合する第２突起が設けられたことを特徴とする請求項１記載のケーブル保持部材。
【請求項３】
前記溝と前記第２突起とは前記フラットケーブルの長手方向において異なる位置に設けられたことを特徴とする請求項２記載のケーブル保持部材。
【請求項４】
前記壁部の内側面には、前記巻付け部の表側及び裏側のそれぞれに前記溝が設けられ、
前記巻付け部の表側にある前記溝と、前記巻付け部の裏側にある前記溝とが、前記巻付け部の表裏で同じ位置に設けられたことを特徴とする請求項１乃至３の何れか１項に記載のケーブル保持部材。
【請求項５】
前記溝は、前記第１突起が前記フラットケーブルの幅方向から挿入されるように構成されたことを特徴とする請求項１乃至４の何れか１項に記載のケーブル保持部材。
【請求項６】
前記巻付け部に巻き付けられた前記フラットケーブルの厚み方向における前記溝の開口寸法が、前記フラットケーブルの厚み寸法と同寸法に形成されたことを特徴とする請求項１乃至５の何れか１項に記載のケーブル保持部材。
【請求項７】
両端が開口した筒状に形成された第１ハウジングの一端側に開口する嵌合孔に挿入される際に、前記嵌合孔への挿入をガイドするためのガイド部が、前記壁部の挿入方向における先端側に設けられたことを特徴とする請求項１乃至６の何れか１項に記載のケーブル保持部材。
【請求項８】
請求項１乃至７の何れか１項に記載のケーブル保持部材と、
両端が開口した筒状であって、一端側から挿入された、前記フラットケーブルが巻き付けられた状態の前記ケーブル保持部材を保持し、複数の端子が第２ハウジングに支持されたレセプタクルコネクタの前記端子が他端側から挿入されると前記導電部材を前記端子に電気的に接続させるように構成された第１ハウジング
を備えたことを特徴とする電気的接続装置。
【請求項９】
請求項８に記載の電気的接続装置と、
複数の端子及び複数の前記端子を支持して前記電気的接続装置が着脱自在に接続される前記第２ハウジングを有する前記レセプタクルコネクタを備え、
前記端子は、前記第２ハウジングに固定される固定部と、前記電気的接続装置が前記レセプタクルコネクタに接続された状態で前記導電部材と弾性接触することによって前記導電部材と導通する板バネ状の接触子と、前記接触子が撓む方向と交差する方向において前記接触子の側方に配置される側壁部とを一体に備えることを特徴とするコネクタ装置。
【請求項１０】
複数の前記導電部材の各々は、前記フラットケーブルが前記巻付け部に巻き付けられた状態で、前記巻付け部の表側及び裏側の両方に配置されるように設けられており、
複数の前記導電部材の各々に対応する前記端子は、前記巻付け部の表側及び裏側に配置された前記導電部材に、前記巻付け部を挟んで両側からそれぞれ接触する前記接触子を２個ずつ備えることを特徴とする請求項９記載のコネクタ装置。
【請求項１１】
前記フラットケーブルには、前記巻付け部に巻き付けて曲げ返される部位に、他の部位よりも曲げやすくするための柔軟構造が設けられたことを特徴とする請求項９又は１０の何れかに記載のコネクタ装置。
【請求項１２】
前記柔軟構造とは、前記フラットケーブルを厚み方向に貫通するように形成された貫通形状であることを特徴とする請求項１１記載のコネクタ装置。
【請求項１３】
前記柔軟構造とは、前記フラットケーブルにおいて、前記巻付け部に巻き付けて曲げ返される部位の厚みを、他の部位よりも薄くした薄肉構造であることを特徴とする請求項１１記載のコネクタ装置。
【請求項１４】
前記フラットケーブルの表面には、前記巻付け部に巻き付けて曲げ返される部位以外にフィルム状の補強部が設けられ、
前記柔軟構造とは、前記フラットケーブルの表面において前記巻付け部に巻き付けて曲げ返される部位に前記補強部が設けられていない構造であることを特徴とする請求項１１記載のコネクタ装置。
【発明の詳細な説明】
【技術分野】
【０００１】
本発明は、フレキシブルプリント基板やフレキシブルフラットケーブルのようなフラットケーブルの電気的な接続に用いられるケーブル保持部材、電気的接続装置、コネクタ装置に関する。
【背景技術】
【０００２】
従来、複数の端子を支持する被接続用ハウジング要素に対して接続されて、フラットケーブルが備える複数の導体の各々を、対応する端子に電気的に接続させるようにした電気的接続装置が提案されている（例えば特許文献１参照）。
【０００３】
上記特許文献１に開示された電気的接続装置は、フラットケーブルを保持するケーブルホルダが、嵌合用ハウジングに嵌合されることによって、組み立てられる。
【０００４】
ケーブルホルダは、フラットケーブルの導体露出部が折り返されるように巻き付けられるケーブル巻付部と、ケーブル巻付部に対して回転自在に支持された仮保持部とを備えている。ケーブル巻付部と仮保持部との間にフラットケーブルの端部が配置された状態で、フラットケーブルの端部をケーブル巻付部との間で挟持する位置に仮保持部を回転させることによって、フラットケーブルの端部が保持される。仮保持部に端部が保持された状態でフラットケーブルがケーブル巻付部に巻き付けられ、フラットケーブルが巻き付けられたケーブル巻付部を嵌合用ハウジングに嵌合させると、ケーブル巻付部にフラットケーブルが巻き付けられた状態で固定される。
【先行技術文献】
【特許文献】
【０００５】
【特許文献１】特開２００７−４９８７号公報
【発明の概要】
【発明が解決しようとする課題】
【０００６】
上記特許文献１に開示された電気的接続装置では、仮保持部とケーブル巻付部との間でフラットケーブルの端部を挟持することによって、フラットケーブルがケーブル巻付部に仮保持されていた。そのため、フラットケーブルに引っ張り力が加わると、仮保持部が緩んで、フラットケーブルの位置がずれる可能性があった。
【０００７】
本発明は上記課題に鑑みて為され、その目的とするところは、フラットケーブルの引っ張り強度を高めたケーブル保持部材、電気的接続装置、コネクタ装置を提供することにある。
【課題を解決するための手段】
【０００８】
本発明のケーブル保持部材は、複数の導電部材が幅方向に並べて配列された帯状のフラットケーブルが曲げ返されるようにして巻き付けられる巻付け面を備えた巻付け部と、前記巻付け部に巻き付けられた前記フラットケーブルの幅方向において前記フラットケーブルの両側に位置するように前記巻付け部に設けられ、前記フラットケーブルの側縁から前記幅方向における外側に突出する第１突起が挿入される溝が設けられた壁部とを備えたことを特徴とする。
【０００９】
このケーブル保持部材において、前記巻付け部には、前記フラットケーブルに設けられた孔に嵌合する第２突起が設けられることも好ましい。
【００１０】
このケーブル保持部材において、前記溝と前記第２突起とは前記フラットケーブルの長手方向において異なる位置に設けられることも好ましい。
【００１１】
このケーブル保持部材において、前記壁部の内側面には、前記巻付け部の表側及び裏側のそれぞれに前記溝が設けられ、前記巻付け部の表側にある前記溝と、前記巻付け部の裏側にある前記溝とが、前記巻付け部の表裏で同じ位置に設けられることも好ましい。
【００１２】
このケーブル保持部材において、前記溝は、前記第１突起が前記フラットケーブルの幅方向から挿入されるように構成されることも好ましい。
【００１３】
このケーブル保持部材において、前記巻付け部に巻き付けられた前記フラットケーブルの厚み方向における前記溝の開口寸法が、前記フラットケーブルの厚み寸法と同寸法に形成されることも好ましい。
【００１４】
このケーブル保持部材において、両端が開口した筒状に形成された第１ハウジングの一端側に開口する嵌合孔に挿入される際に、前記嵌合孔への挿入をガイドするためのガイド部が、前記壁部の挿入方向における先端側に設けられることも好ましい。
【００１５】
本発明の電気的接続装置は、上述した何れかのケーブル保持部材と、両端が開口した筒状であって、一端側から挿入された、前記フラットケーブルが巻き付けられた状態の前記ケーブル保持部材を保持し、複数の端子が第２ハウジングに支持されたレセプタクルコネクタの前記端子が他端側から挿入されると前記導電部材を前記端子に電気的に接続させるように構成された第１ハウジングを備えたことを特徴とする。
【００１６】
本発明のコネクタ装置は、上述の電気的接続装置と、複数の端子及び複数の前記端子を支持して前記電気的接続装置が着脱自在に接続される前記第２ハウジングを有する前記レセプタクルコネクタを備え、前記端子は、前記第２ハウジングに固定される固定部と、前記電気的接続装置が前記レセプタクルコネクタに接続された状態で前記導電部材と弾性接触することによって前記導電部材と導通する板バネ状の接触子と、前記接触子が撓む方向と交差する方向において前記接触子の側方に配置される側壁部とを一体に備えることを特徴とする。
【００１７】
このコネクタ装置において、複数の前記導電部材の各々は、前記フラットケーブルが前記巻付け部に巻き付けられた状態で、前記巻付け部の表側及び裏側の両方に配置されるように設けられており、複数の前記導電部材の各々に対応する前記端子は、前記巻付け部の表側及び裏側に配置された前記導電部材に、前記巻付け部を挟んで両側からそれぞれ接触する前記接触子を２個ずつ備えることも好ましい。
【００１８】
このコネクタ装置において、前記フラットケーブルには、前記巻付け部に巻き付けて曲げ返される部位に、他の部位よりも曲げやすくするための柔軟構造が設けられることも好ましい。
【００１９】
このコネクタ装置において、前記柔軟構造とは、前記フラットケーブルを厚み方向に貫通するように形成された貫通形状であることも好ましい。
【００２０】
このコネクタ装置において、前記柔軟構造とは、前記フラットケーブルにおいて、前記巻付け部に巻き付けて曲げ返される部位の厚みを、他の部位よりも薄くした薄肉構造であることも好ましい。
【００２１】
このコネクタ装置において、前記フラットケーブルの表面には、前記巻付け部に巻き付けて曲げ返される部位以外にフィルム状の補強部が設けられ、前記柔軟構造とは、前記フラットケーブルの表面において前記巻付け部に巻き付けて曲げ返される部位に前記補強部が設けられていない構造であることも好ましい。
【発明の効果】
【００２２】
本発明によれば、壁部に設けられた溝に第１突起が挿入された状態で、フラットケーブルが巻付け部に巻き付けられる。したがって、フラットケーブルに引っ張り力が加わった場合、フラットケーブルの第１突起が挿入された溝で引っ張り力を受けることができ、フラットケーブルの引っ張り強度を高めたケーブル保持部材、電気的接続装置、コネクタ装置を実現することができる。
【図面の簡単な説明】
【００２３】
【図１】本実施形態の電気的接続装置と基板実装タイプのレセプタクルコネクタとを用いたコネクタ装置の分解斜視図である。
【図２】本実施形態のコネクタ装置を示し、（ａ）は電気的接続装置とレセプタクルコネクタとの接続状態を示す斜視図、（ｂ）は電気的接続装置をレセプタクルコネクタから外した状態の斜視図である。
【図３】本実施形態のコネクタ装置を右側から見た斜視断面図である。
【図４】本実施形態のコネクタ装置を分解した状態を右側から見た斜視断面図である。
【図５】本実施形態のコネクタ装置を上側から見た斜視断面図である。
【図６】本実施形態のコネクタ装置を分解した状態を上側から見た斜視断面図である。
【図７】本実施形態のコネクタ装置に用いられるレセプタクルコネクタの端子を示し、（ａ）（ｂ）は外観斜視図である。
【図８】本実施形態のケーブル保持部材にフラットケーブルを巻き付ける作業の工程を説明する説明図である。
【図９】本実施形態のケーブル保持部材にフラットケーブルを巻き付ける作業の工程を説明する説明図である。
【図１０】本実施形態のケーブル保持部材にフラットケーブルを巻き付ける作業の工程を説明する説明図である。
【図１１】本実施形態の電気的接続装置と電線接続タイプのレセプタクルコネクタとを用いたコネクタ装置の分解斜視図である。
【図１２】本実施形態のコネクタ装置を示し、（ａ）は電気的接続装置とレセプタクルコネクタとの接続状態を示す斜視図、（ｂ）は電気的接続装置をレセプタクルコネクタから外した状態の斜視図である。
【図１３】本実施形態のコネクタ装置を右側から見た斜視断面図である。
【図１４】本実施形態のコネクタ装置を分解した状態を右側から見た斜視断面図である。
【図１５】本実施形態のコネクタ装置を上側から見た斜視断面図である。
【図１６】本実施形態のコネクタ装置を分解した状態を上側から見た斜視断面図である。
【図１７】本実施形態のコネクタ装置に用いられるレセプタクルコネクタの端子を示し、（ａ）（ｂ）は外観斜視図である。
【発明を実施するための形態】
【００２４】
本発明のケーブル保持部材、このケーブル保持部材を用いた電気的接続装置、並びに、この電気的接続装置とレセプタクルコネクタとを備えたコネクタ装置の実施形態を図面に基づいて説明する。
【００２５】
本実施形態のコネクタ装置１は、フラットケーブル１０を保持するケーブル保持部材２０及びこのケーブル保持部材２０を用いた電気的接続装置２と、電気的接続装置２が着脱自在に接続されるレセプタクルコネクタとで構成される。レセプタクルコネクタには、プリント配線基板に表面実装される基板接続用（いわゆるＳＭＤ（Surface Mount Device）型）と、電線を接続するための電線接続用がある。まず、基板接続用のレセプタクルコネクタ３Ａを用いたコネクタ装置１について図１−図１０を参照して説明する。尚、基板接続用のレセプタクルコネクタ３Ａを用いたコネクタ装置１についての説明では、特に断りが無いかぎり、図１に矢印で示した方向を基準として説明するが、コネクタ装置１の使用時の方向は上記の方向に限定されない。
【００２６】
フラットケーブル１０は、図８−図１０に示すように、例えばフレキシブルプリント基板（ＦＰＣ：Flexible Printed Circuits）からなる。フラットケーブル１０は、絶縁性の樹脂材料により、細長いフィルム状に形成された基板１１を備えている。なお、フラットケーブル１０は、フレキシブルプリント基板に限定されず、フレキシブルフラットケーブルでもよい。
【００２７】
基板１１の表面には、それぞれ別個の導電路を形成する複数（本実施形態では例えば４個）の導電体１２（導電部材）が形成されている。複数ある導電体１２の各々は、基板１１の表面に積層された導電材料の薄膜をパターニングすることによって、基板１１の長手方向に沿って伸びる帯状に形成されており、基板１１の幅方向において略同じ間隔を開けて並ぶように配列されている。基板１１の表面及び裏面には、例えばポリイミド樹脂のような絶縁性の合成樹脂によりフィルム状に形成された補強部１３が貼り付けられており、この補強部１３で導電体１２は覆われている。補強部１３には、導電体１２においてレセプタクルコネクタ３Ａの端子５０が接触する部位を露出させるための開口１３ａが形成されており、開口１３ａから露出する導電体１２の部位が、端子５０と電気的に接続する導電部１２ａとなる。なお、導電体１２において、開口１３ａから露出する導電部１２ａには金のメッキ層が形成されていてもよく、電気的な接触信頼性を向上させることができる。
【００２８】
基板１１には、基板１１の長手方向における一方の端部に、基板１１の幅方向（図１における前後方向）における外側に向かって突出する突起１４が一体に設けられている。また基板１１の左右両側縁には、フラットケーブル１０をケーブル保持部材２０に取り付けるために基板１１の端部が曲げ返された状態で、突起１４と上下方向において重なる部位に、幅方向における外側に向かって突出する突起１５が設けられている。なお、基板１１の長手方向における突起１４の長さ寸法と突起１５の長さ寸法は同じ長さ寸法に設定されている。
【００２９】
基板１１には、フラットケーブル１０がケーブル保持部材２０に巻き付けられた状態で、ケーブル保持部材２０に設けられた突起２６と嵌合する孔１６が設けられている。
【００３０】
基板１１には、基板１１の長手方向において突起１４と突起１５との中間位置に、基板１１をそれぞれ貫通する３個の孔１６が幅方向に並べて設けられている。基板１１の長手方向に沿う両側の側縁には、基板１１の幅方向において３個の孔１６と並ぶ位置に、切欠１８が設けられている。このように、基板１１の長手方向において、孔１６及び切欠１８が設けられた部位は、他の部位よりも柔軟性が高くなっており、この部位で基板１１が曲がりやすくなっている。
【００３１】
ケーブル保持部材２０は、図８−図１０に示すような絶縁性を有する合成樹脂の成型品であり、矩形板状の巻付け部２１と、巻付け部２１の左右両側縁にそれぞれ設けられた一対の壁部２２とを一体に備えている。巻付け部２１は矩形板状に形成されている。巻付け部２１の上面及び下面は、フラットケーブル１０が曲げ返されるように巻き付けられる巻付け面２１ａとなっている。壁部２２は、巻付け部２１から上下に突出するような形状に形成されており、壁部２２は上下方向における中間部で巻付け部２１と繋がっている。左右の壁部２２の内側面には、それぞれ、巻付け部２１の上側に突起１４が挿入される溝２３ａが設けられ、巻付け部２１の下側に突起１５が挿入される溝２３ｂが設けられている。溝２３ａ，２３ｂは前側に開放されている。溝２３ａの前後方向の長さは、突起１４の前後方向の長さに比べて短い寸法に形成されている。同様に、溝２３ｂの前後方向の長さは、突起１５の前後方向の長さに比べて短い寸法に形成されている。本実施形態では、溝２３ａは壁部２２の内側面に設けられているが、対応する突起１４の形状によっては、壁部２２の内側面以外に溝２３ａが設けられてもよい。例えば突起１４がＬ形状に形成されており、基板１１の側縁と突起１４との間に壁部２２の一部が入り込む溝が形成されている場合には、突起１４が挿入される溝２３ａが、壁部２２の先端面又は外側面に設けられればよい。同様に、本実施形態では溝２３ｂが壁部２２の内側面に設けられているが、対応する突起１５の形状によっては、壁部２２の内側面以外（例えば壁部２２の先端面又は外側面）に溝２３ｂが設けられればよい。
【００３２】
また、巻付け部２１に巻き付けられたフラットケーブル１０の厚み方向における溝２３ａ，２３ｂの開口寸法は、フラットケーブル１０の厚み寸法と同寸法に形成されており、溝２３ａ，２３ｂ内にフラットケーブル１０の突起１４，１５が挿入可能になっている。ここにおいて、溝２３ａ，２３ｂの開口寸法とフラットケーブル１０の厚み寸法が同寸法であるとは、全く同じ寸法である場合に限定されず、機能上問題ない範囲で製造上の寸法誤差などに起因した寸法差があってもよい。
【００３３】
また、左右の壁部２２の各々には、後端部から上側及び下側にそれぞれ突出する突起２４が設けられている。また、左右の壁部２２の各々には、後側に開放されたスリットが形成されることによって、左右方向において撓み自在となる可動片２５が設けられ、各々の可動片２５には左右方向の外側に突出する爪２５ａが設けられている。爪２５ａは、後側に近づくほど外側への突出量が大きくなるようなテーパー形状に形成されている。
【００３４】
また、巻付け部２１の上側面には、巻付け部２１に基板１１が巻き付けられた状態で基板１１に設けられた孔１６と嵌合する突起２６が設けられている。
【００３５】
ここで、フラットケーブル１０をケーブル保持部材２０に取り付ける手順を図８−図１０に基づいて説明する。
【００３６】
図８に示すように、組み立て作業を行う作業者は、フラットケーブル１０の長手方向における一端部と、ケーブル保持部材２０の巻付け部２１の位置を合わせて、フラットケーブル１０の一端部を上側から巻付け部２１に近づける。このとき、作業者は、フラットケーブル１０の端部を撓めて、左右の突起１４をそれぞれ対応する溝２３ａに挿入させるとともに、孔１６に突起２６を挿入させることで、フラットケーブル１０の一端部をケーブル保持部材２０に保持させる（図９参照）。次に、作業者は、フラットケーブル１０の長手方向における他端側を図９中の矢印Ｄの方向に曲げ返し、フラットケーブル１０の曲げ返された部位を撓めて突起１５を溝２３ｂ内に挿入させる（図１０参照）。この状態では、突起１４が溝２３ａ内に、突起１５が溝２３ｂ内にそれぞれ挿入され、さらに孔１６内に突起２６が挿入されることによって、フラットケーブル１０がケーブル保持部材２０に保持される。
【００３７】
したがって、長手方向の一端側が巻付け部２１に巻き付けられたフラットケーブル１０の他端側が引っ張られた場合に、突起１４と係止する溝２３ａで引っ張り力を受けることができる。よって、巻付け部２１に巻き付けられたフラットケーブル１０の引っ張り強度が高まり、フラットケーブル１０に引っ張り力が加わった場合でも、フラットケーブル１０の位置がずれにくくなり、導電体１２と端子５０との電気的接続の信頼性が向上する。
【００３８】
また、本実施形態では、溝２３ａの裏側に、突起１５と係止する溝２３ｂが設けられている。したがって、フラットケーブル１０に加わる引っ張り力を溝２３ａ，２３ｂの両方で受けることができるから、溝２３ａのみの場合に比べて、巻付け部２１に巻き付けられたフラットケーブル１０の引っ張り強度が向上する。
【００３９】
さらに、本実施形態では、巻付け部２１の突起２６がフラットケーブル１０の孔１６に挿入されている。したがって、フラットケーブル１０に加わる引っ張り力を突起２６でも受けることができるので、溝２３ａ，２３ｂのみの場合に比べて、巻付け部２１に巻き付けられたフラットケーブル１０の引っ張り強度がさらに向上する。
【００４０】
また、基板１１には、曲げ返される部位に孔１７と切欠１８が設けられており、孔１７及び切欠１８を設けることで、この部分の柔軟性が向上するから、基板１１を曲げ返す作業を容易に行うことができる。
【００４１】
次に、ケーブル保持部材２０を用いた電気的接続装置２について図１−図６を参照して説明する。
【００４２】
電気的接続装置２は、ケーブル保持部材２０と、フラットケーブル１０が巻き付けられた状態のケーブル保持部材２０を保持するハウジング３０（第１ハウジング）とを備える。
【００４３】
ハウジング３０は、絶縁性を有する合成樹脂の成型品からなり、上下方向の寸法に比べて左右方向の寸法が大きい角筒状であって、前後方向の両端が開口している。ハウジング３０の内部は内壁３０ａによって前後二つの空間に分けられており、ハウジング３０の前面に開口する挿入口３１ａと、ハウジング３０の後面に開口する挿入口３１ｂとは、内壁３０ａを貫通するスリット状の嵌合孔３２を介して繋がっている。嵌合孔３２には、フラットケーブル１０が巻き付けられたケーブル保持部材２０が挿入される。嵌合孔３２の左右両側には、左右方向の中央部よりも上下方向の寸法が大きい広口部３２ａが設けられており、この広口部３２ａにケーブル保持部材２０の壁部２２が挿入されるようになっている。ハウジング３０の内部において、広口部３２ａの後側（ケーブル保持部材２０側）の開口縁には、壁部２２に設けられた突起２４が嵌合する溝３２ｂが設けられている。また、ハウジング３０の内側壁には、嵌合孔３２の広口部３２ａに壁部２２が挿入された際に、可動片２５の爪２５ａと係止する溝３２ｃが設けられている。
【００４４】
ハウジング３０の左右両側部には、ハウジング３０の本体部分と前端部のみで繋がった可動片３３が設けられている。可動片３３の後端部は左右方向において移動自在となっており、可動片３３の後端部には、手で押し操作するための操作部３３ａが、左右方向の外側（ハウジング３０の左右方向における中心位置と反対側）に突出するように設けられている。また、可動片３３の外側面には、前後方向の中間部に、左右方向の外側に向かって突出する爪３４が設けられている。爪３４は、後側に近づくほど外側への突出量が大きくなるようなテーパー形状に形成されている。なお、ハウジング３０の後部の左右両側縁からは、上下方向において可動片３３と重なるカバー部３５が張り出しており、カバー部３５は、可動片３３が不用意に押されないように、可動片３３を保護している。
【００４５】
ハウジング３０の挿入口３１ｂに、フラットケーブル１０が巻き付けられたケーブル保持部材２０が、後側から挿入されると、巻付け部２１が嵌合孔３２内に挿入されるとともに、壁部２２が左右の広口部３２ａ内に挿入される。巻付け部２１及び左右の壁部２２が嵌合孔３２内に挿入されることで、ケーブル保持部材２０の位置が左右方向及び上下方向において位置決めされる。また、壁部２２が広口部３２ａ内に挿入されると、爪２５ａがハウジング３０の内側壁に当接することによって可動片２５が内側に撓められた状態となる。ケーブル保持部材２０が所定位置まで挿入されると、突起２４が溝３２ｂと嵌合することによって、ケーブル保持部材２０の前方への移動が規制される。また、ケーブル保持部材２０が所定位置まで挿入されると、爪２５ａが溝３２ｃ内に入り込むことによって、可動片２５が外側に拡がり、爪２５ａが溝３２ｃの端部と係止するので、ケーブル保持部材２０の後側への移動が規制される。これにより、フラットケーブル１０が巻き付けられたケーブル保持部材２０が、ハウジング３０に取り付けられた状態で保持され、フラットケーブル１０が巻き付けられたケーブル保持部材２０とハウジング３０とで電気的接続装置２が構成される。ケーブル保持部材２０がハウジング３０に取り付けられた状態では、ケーブル保持部材２０の前側部分が、嵌合孔３２を通して前方に突出しており、ハウジング３０の前面に開口した挿入口３１ａ内に配置されている。なお、ケーブル保持部材２０の前端は、ハウジング３０の前端から外側に出ないように、各部の寸法が設定されている。この電気的接続装置２は、レセプタクルコネクタ３Ａに着脱自在に接続されるプラグコネクタとして機能する。
【００４６】
次に、電気的接続装置２が着脱自在に接続されるレセプタクルコネクタ３Ａについて図１−図７を参照して説明する。
【００４７】
レセプタクルコネクタ３Ａは、フラットケーブル１０が備える複数の導電部１２ａの各々に電気的に接続される複数の端子５０と、端子５０を支持するハウジング４０（第２ハウジング）とを備えている。
【００４８】
ハウジング４０は、絶縁性を有する合成樹脂の成型品からなり、電気的接続装置２が挿入される挿入口４１が後側の面に開口した角筒状に形成されている。ハウジング４０の前側壁の内側面からは、ハウジング３０の前面に開口する挿入口３１ａと嵌合する角筒部４２が後側に向かって突出する。角筒部４２の先端面（後面）には、ケーブル保持部材２０の前部が挿入されるスリット状の嵌合孔４３が開口している。嵌合孔４３の左右両側には、左右方向の中央部よりも上下方向の寸法が大きい広口部４３ａが設けられ、この広口部４３ａに壁部２２が挿入されるようになっている。ハウジング４０の左側壁及び右側壁には、それぞれ、電気的接続装置２の爪３４が嵌合する孔４４が設けられている。
【００４９】
角筒部４２には、ケーブル保持部材２０に巻き付けられたフラットケーブル１０が備える複数の導電体１２の各々に対応して複数の端子５０が支持されている。
【００５０】
端子５０は、図７（ａ）（ｂ）に示すように、固定部５１と、接触子５２とを備えている。また、レセプタクルコネクタ３Ａは表面実装タイプであるので、端子５０は半田付け片５３をさらに備えている。端子５０は、板金に抜き加工及び曲げ加工を施すことによって形成されており、固定部５１と一対の接触子５２と半田付け片５３を一体に備えている。
【００５１】
固定部５１は板金を折り曲げることによって前方から見た形状がＣ字形に形成されており、ハウジング４０の前側壁に開口する孔４５に嵌合固定される。
【００５２】
固定部５１の上側片及び下側片の後端部からそれぞれ後方に向かって接触子５２が突出している。一対の接触子５２は、嵌合孔４３を挟んで上下両側に配置され、後側に近づくほど互いに近づく向きに傾斜するように曲げ形成されている。ケーブル保持部材２０が嵌合孔４３に挿入されると、一対の接触子５２が上下両側からフラットケーブル１０の導電体１２に弾性接触する。なお、一対の接触子５２の後端は、側面から見た形状がＶ形となるように曲げ形成されており、ケーブル保持部材２０を一対の接触子５２の間に挿入しやすくしている。
【００５３】
固定部５１の下側片の前端側は下向きに折り曲げられており、その下端部を前側に折り曲げることによって半田付け片５３が形成されている。半田付け片５３は、ハウジング４０の下面と略平行しており、半田付け片５３の下面はハウジング４０の下面よりもやや下側に位置している。複数の半田付け片５３の各々は、プリント配線基板（図示せず）の表面に形成されたランドに半田付けされることによって、レセプタクルコネクタ３Ａの端子５０がプリント配線基板の回路に電気的に接続されるようになっている。
【００５４】
この端子５０は以下のようにしてレセプタクルコネクタ３Ａに固定される。作業者が、ハウジング４０の前側壁に開口する孔４５に、接触子５２を先頭にして端子５０を挿入すると、固定部５１が孔４５の内壁と嵌合することによって、端子５０がハウジング４０に固定される。角筒部４２には、嵌合孔４３を間にして上下両側面に、接触子５２が１個ずつ配置される溝４２ａが形成されている。固定部５１がハウジング４０に固定されると、接触子５２が対応する溝４２ａ内に配置され、端子５０が備える一対の接触子５２は、嵌合孔４３を挟んで上下に対向して配置されることになる。また、固定部５１がハウジング４０に固定されると、半田付け片５３は、ハウジング４０の下面と平行し、且つ、ハウジング４０の下面よりもやや下側に配置されることになる。
【００５５】
また、ハウジング４０の左側面及び右側面には、ハウジング４０をプリント配線基板に固定するための保持金具６０が１個ずつ取り付けられている。保持金具６０は板金に曲げ加工を施して形成され、矩形板状の主部６１と、主部６１の下側辺から主部６１と直交する方向に突出する固定片６２と、主部６１の上側辺から固定片６２と逆向きに突出する係止片６３とを一体に備えている。ハウジング４０の左右の側壁には、それぞれ、主部６１の左右の側縁が挿入される溝４６が、ハウジング４０の上面から下側の所定位置まで形成されている。固定片６２を外側に向けた状態で、主部６１が溝４６に上側から挿入されると、主部６１の左右の側縁が溝４６に圧入されることによって、保持金具６０がハウジング４０に固定される。主部６１が溝４６の終端まで挿入されると、係止片６３がハウジング４０の上面に設けた凹部４０ａ内に挿入され、固定片６２の下面はハウジング４０の下面よりもやや下側に突出し、半田付け片５３と同じ高さに位置することになる。保持金具６０は、プリント配線基板（図示せず）の表面に形成された固定用のランドに半田付けされ、プリント配線基板に対してハウジング４０を機械的に固定する。
【００５６】
本実施形態のコネクタ装置１は上記のような構成を有しており、電気的接続装置２はレセプタクルコネクタ３Ａに対して以下のような手順で着脱される。
【００５７】
電気的接続装置２のハウジング３０を、レセプタクルコネクタ３Ａのハウジング４０の挿入口４１に挿入すると、ハウジング３０の前側の挿入口３１ａに、ハウジング４０の角筒部４２が挿入される。このとき、角筒部４２の嵌合孔４３にケーブル保持部材２０の前側部分が挿入され、巻付け部２１の上下両面に巻き付けられたフラットケーブル１０が一対の接触子５２の間に挿入される。フラットケーブル１０には、巻付け部２１の上側面及び下側面に配置される部位にそれぞれ導電部１２ａが設けられ、一対の接触子５２が導電部１２ａに上下両側から接触することで、フラットケーブル１０の導電体１２に対応する端子５０が電気的に接続される。また、ハウジング３０が、ハウジング４０の挿入口４１に所定位置まで挿入されると、ハウジング３０の爪３４がハウジング４０の孔４４に係止することで、電気的接続装置２がレセプタクルコネクタ３Ａに接続された状態が保持される。
【００５８】
一方、電気的接続装置２をレセプタクルコネクタ３Ａから取り外す場合は、作業者がハウジング３０に設けられた操作部３３ａを摘んで、左右の可動片３３を内側に撓めると、爪３４が孔４４の外側に出て、爪３４と孔４４との係止状態が解除される。この状態で、作業者がハウジング３０を後側に引っ張ると、ハウジング３０をハウジング４０から取り外すことができ、電気的接続装置２をレセプタクルコネクタ３Ａから容易に取り外すことができる。
【００５９】
以上説明したように、本実施形態のケーブル保持部材２０は、巻付け部２１と、壁部２２とを備えている。巻付け部２１は、複数の導電体１２（導電部材）が幅方向に並べて配列された帯状のフラットケーブル１０が曲げ返されるようにして巻き付けられる巻付け面２１ａを備える。壁部２２は、巻付け部２１に巻き付けられたフラットケーブル１０の幅方向においてフラットケーブル１０の両側に位置するように巻付け部２１に設けられる。壁部２２には、フラットケーブル１０の側縁から幅方向における外側に突出する突起１４（第１突起）が挿入される溝２３ａが設けられている。このケーブル保持部材２０では、壁部２２に設けられた溝２３ａに突起１４が挿入された状態で、フラットケーブル１０が巻付け部２１に巻き付けられる。したがって、フラットケーブル１０に加わる引っ張り力を、突起１４が係止する溝２３ａで受けることができ、引っ張り強度を高めたケーブル保持部材２０を実現できる。
【００６０】
また、本実施形態のケーブル保持部材２０では、フラットケーブル１０に設けられた孔１６と嵌合する突起２６が巻付け部２１に設けられている。これにより、巻付け部２１にフラットケーブル１０を巻き付ける際に、孔１６に突起２６を嵌合させることで、フラットケーブル１０を巻付け部２１に仮保持させることができ、フラットケーブル１０を巻き付ける作業の作業性が向上する。また、巻付け部２１の一面のみに突起２６が設けられているので、突起２６の有無で巻付け部２１の表裏を識別することができる。なお、突起２６及び孔１６の平面形状は円形に形成されているが、突起２６及び孔１６の平面形状は円形に限定されず、長円形や四角形などの多角形でもよいし、突起２６及び孔１６の数は１個でも複数個でもよい。
【００６１】
また、本実施形態のケーブル保持部材２０では、溝２３ａと突起２６（第２突起）とはフラットケーブル１０の長手方向において異なる位置に設けられている。したがって、フラットケーブル１０の両側の壁部２２にそれぞれ設けられた２つの溝２３ａと突起２６は、三角形の頂点をなす位置にあり、フラットケーブル１０の長手方向において、フラットケーブル１０の取付位置がずれにくくなる。
【００６２】
また、本実施形態のケーブル保持部材２０では、壁部２２の内側面には、巻付け部２１の表側及び裏側のそれぞれに溝（溝２３ａ，２３ｂ）が設けられている。巻付け部２１の表側にある溝２３ａと、巻付け部２１の裏側にある溝２３ｂとは、巻付け部２１の表裏で同じ位置に設けられている。
【００６３】
巻付け部２１の表側にある溝２３ａにフラットケーブル１０の突起１４を挿入し、巻付け部２１の裏側にある溝２３ｂにフラットケーブル１０の突起１５を挿入することで、フラットケーブル１０を撓み無く、巻付け部２１に巻き付けることができる。また、巻付け部２１の表側にある溝２３ａと、巻付け部２１の裏側にある溝２３ｂとは、巻付け部２１の表裏で同じ位置にあるから、溝２３ａに挿入される突起１４と、溝２３ｂに挿入される突起１５との中間位置でフラットケーブル１０を曲げることができる。
【００６４】
また、本実施形態のケーブル保持部材２０では、溝２３ａは、突起１４（第１突起）がフラットケーブル１０の幅方向から挿入されるように構成されている。これにより、フラットケーブル１０を撓ませることで突起１４を溝２３ａに挿入させることができる。また、溝２３ｂも、突起１５がフラットケーブル１０の幅方向から挿入されるように構成されている。これにより、フラットケーブル１０を撓ませることで突起１５を溝２３ｂに挿入させることができる。
【００６５】
また、本実施形態のケーブル保持部材２０では、巻付け部２１に巻き付けられたフラットケーブル１０の厚み方向における溝２３ａ，２３ｂの開口寸法が、フラットケーブル１０の厚み寸法と同寸法に形成されている。これにより、フラットケーブル１０の突起１４を溝２３ａにがたつき無く保持させることができる。また、フラットケーブル１０の突起１５を溝２３ｂにがたつき無く保持させることができる。
【００６６】
また、ケーブル保持部材２０では、両端が開口した筒状に形成されたハウジング３０（第１ハウジング）の一端側に開口する嵌合孔３２に挿入される際に、嵌合孔３２への挿入をガイドするためのガイド部が、壁部２２の挿入方向における先端側に設けられている。壁部２２の挿入方向における先端側は、巻付け部２１よりも挿入方向における前側に突出しており、この突出部位２２ａがガイド部となる。而して、壁部２２の先端側に設けられた突出部位２２ａが、広口部３２ａに最初に挿入され、突出部位２２ａが広口部３２ａの内側に挿入されることで、巻付け部２１が嵌合孔３２に案内されるから、巻付け部２１を嵌合孔３２に挿入する作業を容易に行える。
【００６７】
また本実施形態の電気的接続装置２は、上述したケーブル保持部材２０と、両端が開口した筒状のハウジング３０（第１ハウジング）とを備える。ハウジング３０は、一端側から挿入された、フラットケーブル１０が巻き付けられた状態のケーブル保持部材２０を保持する。ハウジング３０は、複数の端子５０がハウジング４０（第２ハウジング）に支持されたレセプタクルコネクタの端子５０が他端側から挿入されると、フラットケーブル１０の導電体１２を端子５０に電気的に接続させるように構成されている。
【００６８】
これにより、フラットケーブル１０の引っ張り強度が向上したケーブル保持部材２０を備える電気的接続装置２を実現することができる。
【００６９】
ところで、図１−図７を参照して説明したコネクタ装置１は、電気的接続装置２と、基板接続用のレセプタクルコネクタ３Ａとを備えているが、基板接続用のレセプタクルコネクタ３Ａに代えて、電線接続用のレセプタクルコネクタを備えてもよい。以下では、図１１−図１７を参照して、電気的接続装置２と、電線接続用のレセプタクルコネクタ３Ｂを備えたコネクタ装置１について説明する。尚、電線接続用のレセプタクルコネクタ３Ｂを備えたコネクタ装置１の説明では、特に断りが無いかぎり、図１１に矢印で示した方向を基準として説明するが、コネクタ装置１の使用時の方向は上記の方向に限定されない。
【００７０】
電気的接続装置２の構成は、図１−図１０を参照して説明したものと同じであるから、その説明は省略する。
【００７１】
電線接続用のレセプタクルコネクタ３Ｂは、複数（本実施形態では４本）の電線９０の各々が電気的に接続される複数の端子７０と、複数の端子７０を支持するハウジング８０（第２ハウジング）とを備えている。
【００７２】
ハウジング８０は、絶縁性を有する合成樹脂の成型品からなり、電気的接続装置２が挿入される挿入口８１が後側の面に開口した角筒状に形成されている。ハウジング８０の前側壁の内側面からは、ハウジング３０の前面に開口する挿入口３１ａと嵌合する角筒部８２が後側に向かって突出する。角筒部８２の先端面（後面）には、ケーブル保持部材２０の前部が挿入されるスリット状の嵌合孔８３が開口している。嵌合孔８３の左右両側には、左右方向の中央部よりも上下方向の寸法が大きい広口部８３ａが設けられ、この広口部８３ａにケーブル保持部材２０の壁部２２が挿入される。ハウジング８０の左側壁及び右側壁には、電気的接続装置２の爪３４が嵌合する孔８４が設けられている。
【００７３】
ハウジング８０の後部の外周面からは外鍔８５が突出している。また、ハウジング８０の左右の側壁の前端部には、後方に向かって突出する係止片８６が一体に設けられている。係止片８６は、上下方向から見た形状がＶ形に形成されており、前後方向の中間部が外向きとなるように形成されている。而して、図１２（ａ）に示すように、取付パネル１００に設けられた矩形の孔１０１に、取付パネル１００の裏側からハウジング８０が挿入されると、左右の係止片８６は孔１０１の端面に当たって内側に撓められる。そして、外鍔８５の前面が取付パネル１００の裏面に当たるまで、ハウジング８０を孔１０１内に押し込むと、係止片８６において最も外側に張り出した部位が孔１０１よりも前側に出て、係止片８６は孔１０１の端面に当たる位置まで外側に開いた状態となる。したがって、外鍔８５と係止片８６との間で取付パネル１００を挟持することで、ハウジング８０が前後方向及び左右方向において位置決めされ、ハウジング８０が取付パネル１００に取り付けられた状態となる。
【００７４】
ハウジング８０の角筒部８２には、ケーブル保持部材２０に巻き付けられたフラットケーブル１０が備える複数の導電体１２の各々に対応して複数の端子７０が支持されている。
【００７５】
端子７０は、板金に曲げ加工を施すことによって形成され、図１７（ａ）（ｂ）に示すように、固定部７１と、接触子７２と、側壁部７３とを備えている。また、レセプタクルコネクタ３Ｂは電線接続タイプであるので、端子７０は電線接続部７４をさらに備えている。端子７０は、板金に抜き加工及び曲げ加工を施すことによって形成されており、固定部７１と一対の接触子７２と側壁部７３と電線接続部７４とを一体に備えている。
【００７６】
固定部７１は、板金を折り曲げることによって、前後方向に細長い角筒状に形成されており、左右の側片には後側に開放されたスリット７１ａが形成されている。
【００７７】
固定部７１の上側片及び下側片の後端部からはそれぞれ前方に向かって接触子７２が突出している。一対の接触子７２は、スリット７１ａを挟んで上下両側に配置されており、前側に近づくほど互いに近づく向きに傾斜するように曲げ形成されている。接触子７２は上下方向において撓み自在に形成されており、一対の接触子７２で、ケーブル保持部材２０に巻き付けられたフラットケーブル１０を両側から挟み、フラットケーブル１０の導電体１２に弾性接触するようになっている。
【００７８】
ここで、固定部７１の左右の側片には、スリット７１ａを挟んで上下両側に側壁部７３が形成されている。この側壁部７３は、接触子７２が撓む方向と交差する方向（左右方向）において、接触子７２の側方に配置されている。側壁部７３が接触子７２の側方に配置されることによって、接触子７２に対して側方から異物が当たりにくくなり、接触子７２を保護することができる。
【００７９】
また固定部７１の下側片の前端部からは前方に向かって電線接続部７４が突出する。電線接続部７４は、電線９０の芯線９１をかしめ固定するカシメ片７４ａと、電線９０の絶縁被覆９２をかしめ固定するカシメ片７４ｂとを備える。電線接続部７４のカシメ片７４ａに芯線９１がカシメ固定されることによって、端子７０と芯線９１とが電気的に接続される。また、電線接続部７４のカシメ片７４ｂに絶縁被覆９２がカシメ固定されることによって、端子７０と電線９０とが機械的に接続される。
【００８０】
電線９０に接続された端子７０は以下のようにしてレセプタクルコネクタ３Ｂに固定される。作業者が、ハウジング８０の前側壁に開口する孔８７に、接触子７２側を先頭にして端子７０を挿入すると、固定部７１が孔８７の内壁と嵌合することによって、端子５０がハウジング４０に固定される。また、図１３に示すように、固定部７１の下側片には切り起こしによって爪７５が形成されており、孔８７の内壁に設けられた係止孔８７ａに爪７５が係止することによって、端子７０は孔８７に挿入された状態で保持される。角筒部８２には、嵌合孔４３を間にして上下両側面に、孔８７から挿入された端子７０が１個ずつ配置される溝８２ａが形成されている。端子７０の固定部７１がハウジング８０に固定されると、接触子７２が対応する溝８２ａ内に配置され、端子７０が備える一対の接触子７２は、嵌合孔８３を挟んで上下に対向して配置されることになる。
【００８１】
本実施形態のコネクタ装置１は上記のような構成を有しており、電気的接続装置２はレセプタクルコネクタ３Ｂに対して以下のような手順で着脱される。
【００８２】
電気的接続装置２のハウジング３０を、レセプタクルコネクタ３Ｂのハウジング８０の挿入口８１に挿入すると、ハウジング３０の前側の挿入口３１ａに、ハウジング８０の角筒部８２が挿入される。このとき、角筒部８２の嵌合孔８３にケーブル保持部材２０の前側部分が挿入され、巻付け部２１の上下両面に巻き付けられたフラットケーブル１０が一対の接触子７２の間に挿入される。フラットケーブル１０には、巻付け部２１の上側面及び下側面に配置される部位にそれぞれ導電部１２ａが設けられており（図８−図１０参照）、一対の接触子７２が導電部１２ａに上下両側から接触することで、導電体１２と端子７０とが電気的に接続される。また、ハウジング３０が、ハウジング８０の挿入口８１に所定位置まで挿入されると、ハウジング３０の爪３４がハウジング８０の孔８４に係止することで、電気的接続装置２がレセプタクルコネクタ３Ｂに接続された状態が保持される。
【００８３】
一方、電気的接続装置２をレセプタクルコネクタ３Ｂから取り外す場合は、作業者がハウジング３０に設けられた操作部３３ａを摘んで、左右の可動片３３を内側に撓めると、爪３４が孔８４の外側に出て、爪３４と孔８４との係止状態が解除される。この状態で、作業者がハウジング３０を後側に引っ張ると、ハウジング３０をハウジング８０から取り外すことができ、電気的接続装置２をレセプタクルコネクタ３Ｂから容易に取り外すことができる。
【００８４】
以上説明したように、本実施形態のコネクタ装置１は、上述した電気的接続装置２と、複数の端子７０及び複数の端子７０を支持して電気的接続装置２が着脱自在に接続されるハウジング８０（第２ハウジング）を有するレセプタクルコネクタ３Ｂとを備える。
端子７０は、固定部７１と、接触子７２と、側壁部７３とを一体に備える。固定部７１はハウジング８０に固定される。接触子７２は板バネ状であり、電気的接続装置２がレセプタクルコネクタ３Ｂに接続された状態で導電体１２と弾性接触することによって導電体１２と導通する。側壁部７３は、接触子７２が撓む方向と交差する方向において接触子７２の側方に配置される。
【００８５】
これにより、フラットケーブル１０の引っ張り強度を高めたケーブル保持部材２０を用いたコネクタ装置１を実現できる。また、レセプタクルコネクタ３Ｂが備える端子７０では、接触子７２が撓む方向と交差する方向において接触子７２の側方に側壁部７３が配置されているので、接触子７２に対して側方から異物が当たりにくくなり、接触子７２を保護することができる。なお、図７に示した表面実装タイプの端子５０は側壁部を備えていないが、表面実装タイプの端子５０に、接触子５２が撓む方向と交差する方向において接触子７２の側方に配置される側壁部が設けられていてもよく、接触子５２を保護することができる。
【００８６】
また、本実施形態のコネクタ装置１では、複数の導電体１２（導電部材）の各々は、フラットケーブル１０が巻付け部２１に巻き付けられた状態で、巻付け部２１の表側及び裏側の両方に配置されるように設けられている。そして、複数の導電体１２の各々に対応する端子７０は、巻付け部２１の表側及び裏側に配置された導電体１２に、巻付け部２１を挟んで両側からそれぞれ接触する接触子７２を２個ずつ備えている。
【００８７】
このように、２個の接触子７２でフラットケーブル１０を挟むことによって、それぞれの接触子７２が導電体１２に弾性接触しているので、接触子７２と導電体１２の接触状態が、成型品の経年劣化や熱変形の影響を受けにくくなる。また、２個の接触子７２が同じ形状に形成されていれば、２個の接触子７２の間にフラットケーブル１０がセンタリングされ、２個の接触子７２の各々が導電体１２と接触する接触力を均等にできる。
【００８８】
また、上述した基板実装タイプ及び電線接続タイプのコネクタ装置１において、フラットケーブル１０には、巻付け部２１に巻き付けて曲げ返される部位に、他の部位よりも曲げやすくするための柔軟構造が形成されている。柔軟構造を設けることによってフラットケーブル１０が曲げ返される部位が他の部位よりも曲がりやすくなっているので、フラットケーブル１０を曲げる際に基板１１に加わるストレスを低減できる。
【００８９】
ここで、柔軟構造とは、フラットケーブル１０を厚み方向に貫通するように設けられた貫通形状（孔１７及び切欠１８）であり、孔１７及び切欠１８を形成することでフラットケーブル１０の曲げ性を向上させることができる。孔１７及び切欠１８の形状や個数は本実施形態に限定されるものではなく、所望の曲げ性が得られるのであれば、適宜変更が可能であり、貫通形状として孔１７のみを設けてもよいし、切欠１８のみを設けてもよい。
【００９０】
また、柔軟構造は、フラットケーブル１０を厚み方向に貫通するように形成された貫通形状に限定されず、他の構造でもよい。
【００９１】
例えば、フラットケーブル１０において、巻付け部２１に巻き付けて曲げ返される部位の厚みを、他の部位よりも薄くした薄肉構造を、上記の柔軟構造としてもよい。厚みが薄く形成された部位は他の部位よりも曲げやすくなっているので、フラットケーブル１０を巻付け部２１に巻き付ける際にフラットケーブル１０に加わるストレスを低減できる。
【００９２】
また、フラットケーブル１０の表面には、フィルム状に形成された補強部１３が貼り付けられているが、フラットケーブル１０の表面において巻付け部２１に巻き付けて曲げ返される部位に補強部１３を設けないことで、柔軟性を高めてもよい。この場合、フラットケーブル１０の表面において巻付け部２１に巻き付けて曲げ返される部位に補強部１３が設けられていない構造が柔軟構造となり、フラットケーブル１０を巻付け部２１に巻き付ける際にフラットケーブル１０に加わるストレスを低減できる。
【００９３】
なお、本発明の精神と範囲に反することなしに、広範に異なる実施形態を構成することができることは明白なので、この発明は、特定の実施形態に制約されない。
【符号の説明】
【００９４】
１  コネクタ装置
２  電気的接続装置
３Ａ，３Ｂ  レセプタクルコネクタ
１０  フラットケーブル
１２  導電体（導電部材）
１４，１５  突起（第１突起）
１６  孔
１７  孔（貫通形状、柔軟構造）
１８  切欠部（貫通形状、柔軟構造）
２０  ケーブル保持部材
２１  巻付け部
２１ａ  巻付け面
２２  壁部（ガイド部）
２３ａ，２３ｂ  溝
２６  突起（第２突起）
３０  ハウジング（第１ハウジング）
３２  嵌合孔
４０，８０  ハウジング（第２ハウジング）
５０，７０  端子
５１，７１  固定部
５２，７２  接触子
７３  側壁部
【図１】
2015056233.tif 000003
【図２】
2015056233.tif 000004
【図３】
2015056233.tif 000005
【図４】
2015056233.tif 000006
【図５】
2015056233.tif 000007
【図６】
2015056233.tif 000008
【図７】
2015056233.tif 000009
【図８】
2015056233.tif 000010
【図９】
2015056233.tif 000011
【図１０】
2015056233.tif 000012
【図１１】
2015056233.tif 000013
【図１２】
2015056233.tif 000014
【図１３】
2015056233.tif 000015
【図１４】
2015056233.tif 000016
【図１５】
2015056233.tif 000017
【図１６】
2015056233.tif 000018
【図１７】
2015056233.tif 000019